(57)【特許請求の範囲】
【請求項１】
投光部または受光部であるセンサ素子と、
フレームのメイン基板に接続する中継基板と、
前記センサ素子と前記中継基板の間に設置されるスペーサと、
が一体的に構成され、
前記センサ素子と前記中継基板が前記スペーサを介して固定されており、
前記スペーサに前記フレームにセンサ素子を固定するスナップフィットが形成される
ことを特徴とする、フォトセンサ。
【請求項２】
前記フレームの突起と前記スペーサの前記スナップフィットとが係止して、前記フレームに固定される
ことを特徴とする、請求項１に記載のフォトセンサ。
【請求項３】
前記フレームの突起と前記スペーサの前記スナップフィットとが係止して、前記フレームと前記フォトセンサとの間に埃落とし穴が設けられる
ことを特徴とする、請求項１に記載のフォトセンサ。
【請求項４】
前記中継基板の凹部に、前記スペーサの前記スナップフィットと対向し、前記スペーサの前記中継基板の取り付け側に設けられた突起が嵌め込まれる
ことを特徴とする、請求項１に記載のフォトセンサ。
【請求項５】
前記フレームは、固定された上面フレームと下面フレームとから構成され、
前記上面フレームと前記下面フレームに一対の前記フォトセンサが設置され、
一対のフォトセンサの間を通過する物体の位置を検知する
ことを特徴とする、請求項１に記載のフォトセンサ。
【請求項６】
請求項１〜５のいずれか１項に記載のフォトセンサを使用した
ことを特徴とする、カードリーダユニット。
【請求項７】
請求項６に記載のカードリーダユニットを搭載する
ことを特徴とする、自動取引装置。
【請求項８】
請求項１〜５のいずれか１項に記載のフォトセンサを使用した
ことを特徴とする、自動取引装置。
【発明の詳細な説明】
【技術分野】
【０００１】
本発明は、フォトセンサに関し、現金自動預金支払機等の自動取引装置やカードリーダユニットなどの小型化機器に使用されるフォトセンサに適用して好適なるものである。
【背景技術】
【０００２】
従来から、自動取引装置やカードリーダユニットにおけるカード等媒体の搬送検知センサとして光センサが用いられている。例えば、特許文献１では、カード検出センサとして、複数の透過型の一対の光センサがカード搬送路を挟んで対向する位置に設置されている。これらの光センサは、カードリーダユニットに挿入されるカードの搬送方向の長さよりも短い間隔で配置されてカード搬送路全体にわたってカードの位置を検出している。
【０００３】
上記した光センサは、例えば、カード搬送路の上下の一方にＬＥＤランプなどの投光部を配置し、他方にフォトトランジスタなどの受光部を配置して、受光部が投光部からの光を受光したか否かによって、カード搬送路を通過するカードの有無を検知している。
【先行技術文献】
【特許文献】
【０００４】
【特許文献１】特許第５６５８８２９号明細書
【発明の概要】
【発明が解決しようとする課題】
【０００５】
図５に示すように、上記したＬＥＤランプやフォトトランジスタなどのセンサ素子５１は、直接カードリーダユニットなどのフレーム６０に取り付けることが困難なため、中継基板５５に配置される。中継基板５５は、ネジまたはプッシュリベット５６などでカードリーダユニットなどの本体フレーム６０に取り付けられる。保守によりフォトセンサ５０を交換する際に、センサ素子５１が配置されている中継基板５５がプッシュリベット５６でフレーム６０に取り付けられていると、中継基板５５を取り付けた側から取り外すことができない。また、中継基板５５をネジでフレームに取り付けている場合には、カードリーダユニットの内部にネジを回すためのドライバーを通すことのできる空間を確保する必要がある。このため、フォトセンサ５０を交換する際には、上下のフレームが固定されているカードリードユニットなどを大きく分解しなければならないため、交換対象部品の取り外しと再取り付けに手間がかかる。また取り外したネジやプッシュリベットを紛失することもある。このようなことから、図５に示す従来の構成で取り付けられたフォトセンサ５０は、総じて保守性が低下するという問題があった。
【０００６】
本発明は以上の点を考慮してなされたもので、センサ素子と中継基板とスペーサとを一体化して本体フレームから容易に取り外し可能なフォトセンサを提案しようとするものである。
【課題を解決するための手段】
【０００７】
かかる課題を解決するために本発明においては、投光部または受光部であるセンサ素子と、フレームのメイン基板に接続する中継基板と、前記センサ素子と前記中継基板の間に設置されるスペーサと、が一体的に構成され、前記スペーサに前記フレームにフォトセンサを固定するスナップフィットが形成されることを特徴とする、フォトセンサが提供される。
【発明の効果】
【０００８】
本発明によれば、センサ素子と中継基板とを一体化して本体フレームから容易に取り外し可能なフォトセンサにより、保守性を向上させることができる。
【図面の簡単な説明】
【０００９】
【図１】本発明の一実施形態に係るフォトセンサの取り付けを示す断面図である。
【図２】同実施形態にかかるフォトセンサの分解図である。
【図３】同実施形態にかかるカード挿入方向から見たフォトセンサの分解図である。
【図４】同実施形態にかかるフォトセンサが設置された本体フレームを上から見た図である。
【図５】従来のフォトセンサの取り付けを示す断面図である。
【発明を実施するための形態】
【００１０】
以下図面について、本発明の一実施の形態を詳述する。
【００１１】
（１）本実施の形態の概要
ＬＥＤランプやフォトトランジスタなどのセンサ素子は、直接カードリーダユニットなどのフレームに取り付けることが困難なため、中継基板に配置されてカードリーダユニットなどの本体に取り付けられる。本体に取り付けられた中継基板は、ケーブルを介してメイン基板に接続される。センサ素子の高さを調節したり、リード線を保護したりするために、センサ素子と中継基板の間に樹脂製のスペーサが配置される。
【００１２】
また、中継基板は、ネジやプッシュリベットによりカードリーダユニットなどの本体フレームに取り付けられる。センサ素子を取り付ける箇所には搬送ローラや磁気ヘッドなどが配置されているため、中継基板のサイズやプッシュリベットを係止する位置には制限がある。
【００１３】
保守によりフォトセンサを交換する場合に、センサ素子が配置されている中継基板が取り付け部材であるネジやプッシュリベットで取り付けられていると、中継基板を取り付けた側から取り外すことができないなどのため、上下のフレームが固定されているカードリードユニットなどを大きく分解しなければならない。前記中継基板がネジで取り付けてられている場合に、数回取り外しを行ってネジが緩んでしまったり、取り付け方向の反対側からプッシュリベットを押したりする際に、フレーム本体を大きく分解しなければならずフォトセンサの保守性が低下してしまう。
【００１４】
そこで、本実施の形態では、センサ素子と中継基板の間のスペーサにスナップフィットを設けることで、取り付け部材を一体化してフォトセンサを形成し、本体フレームから容易に取り外しと取り付け可能な構造としている。これにより、フレームが固定されているカードリードユニットなどを大きく分解しなくともフォトセンサの取り付けや取り外しが容易となり、保守性を向上させることを可能としている。
【００１５】
（２）フォトセンサの構成及び取り付け
図１〜図４を参照して、フォトセンサ２０の構成及び取り付けについて説明する。図１は、本体フレームに取り付けられたフォトセンサ２０の断面図である。図１に示すように、フォトセンサ２０は、センサ素子２、スペーサ３及び中継基板４が一体構成されて、フレーム１に取り付けられる。
【００１６】
また、カードリーダユニットのフレーム１に一対のフォトセンサ２０が取り付けられる場合には、一対のフォトセンサ２０の間にカード３０が挿入される。フォトセンサの一対がＬＥＤランプなどの投光部となり、他方がフォトトランジスタなどの受光部となり、受光部が投光部からの光を受光したか否かによって、カード３０の有無を検知する。
【００１７】
このように、センサ素子２、スペーサ３及び中継基板４を一体構成として、フォトセンサ２０をスペーサ及び中継基板を含むフォトセンサユニットとすることにより、フォトセンサ２０の部品点数を削減することができる。
【００１８】
また、スペーサ３には、フォトセンサ２０をフレーム１の突起１ａに係止するためのスナップフィット３ａが一体成形されている。
【００１９】
図５に示すように、従来、フォトセンサ５０はネジやプッシュリベット５６によりフレーム６０に取り付けられる。つまり、フォトセンサ５０とは別体の取り付け部材によりフレーム６０に取り付けられる。このように、フォトセンサ５０と取り付け部材とが別の部材である場合には、中継基板５５のサイズを小さくすることができず、中継基板５５の設置エリアを最小化することができなかった。しかし、本実施の形態では、スペーサ３とスナップフィット３ａを一体成形することにより、中継基板４のサイズを小型化することができ、中継基板４の設置エリアを最小化するとともに、中継基板４の設置の自由度を上げることができる。
【００２０】
また、本実施の形態では、中継基板４にスペーサ３とセンサ素子２が取り付けられ、スペーサ３と一体成形されたスナップフィット３ａによりフレーム１に係止されるため、フォトセンサ２０の取り付け位置の精度を上げることができる。
【００２１】
上記したように、従来は、フレーム６０にフォトセンサ５０をネジで取り付けた場合には、取り外しによりネジが緩んでしまい、フォトセンサ５０の配置位置がずれてしまう場合があった。しかし、本実施の形態では、中継基板４とセンサ素子２とがスペーサ３を介して固定されているため、フォトセンサ２０の配置位置がずれてしまうことがない。
【００２２】
また、図１において、フレーム１の上側からフォトセンサ２０をワンタッチで取り付けることができ、組み立て性が向上する。さらに、フォトセンサ２０を取り付けた方向から取り外すことができるため、フォトセンサ２０を容易に交換することができる。
【００２３】
例えば、カードリーダユニットなど上下のフレームが固定され、この上下のフレーム１に一対のフォトセンサ２０が取り付けられる場合がある。例えば、図５に示すように、従来は、上下に固定されたフレーム６０に中継基板５５が取り付けられ、中継基板５５にスペーサ５２及びセンサ素子５１がネジなどで取り付けられた場合には、フォトセンサ５０を交換するためにフレーム６０を分解しなければならなかった。しかし、本実施の形態のように、フォトセンサ２０を取り付けた方向から取り外すことができる場合には、上下のフレームが固定されたカードリーダユニットを分解せずとも、フォトセンサ２０を容易に交換することが可能となる。
【００２４】
また、中継基板４とセンサ素子２とスペーサ３は、組み立て時に基板の表裏を誤って取り付けることを防止したり、スペーサ３と一体化されたスナップフィット３ａにより中継基板４を１８０度回転させて取り付けてしまったりすることを防止できる。
【００２５】
また、カードリーダユニットなどのフレーム１には、センサ素子の横に埃を落とすための埃穴が設けられている。本実施の形態では、フレーム１の突起１ａを形成して、この突起１ａにスナップフィット３ａを係合してフォトセンサ２０をフレーム１に取り付けて、フォトセンサ２０の横に埃穴１ｂが成形されることとなる。
【００２６】
また、突起１ａに係合するスナップフィット３ａは、突起１ａに対して斜めに形成される。これにより、フォトセンサ２０を取り付けるときには、斜めに形成されたスナップフィット３ａにより容易に取り付けることができる。そして、突起１ａにスナップフィット３ａが係止されると、スナップフィット３ａが突起１ａ側に押圧されて、フォトセンサ２０がフレーム１に固定される。
【００２７】
次に、図２及び図３を参照して、フォトセンサ２０の構成について説明する。図２及び図２に示すように、フォトセンサ２０は、センサ素子２、スペーサ３及び中継基板４が一体的に成形されている。
【００２８】
センサ素子２はリード２ａにおりスペーサ３及び中継基板４に固定される。スペーサ３には、スナップフィット３ａと、穴３ｂと、突起３ｃが設けられている。スナップフィット３ａは、フレーム１の突起１ａに係合して、フォトセンサ２０をフレーム１に係止する。穴３ｂは、両側に傾斜面が設けられ、この傾斜面により、センサ素子２のリード２ａをはんだ付けする際に、スルーホールを介した反対側にフィレットを形成しても、はんだとスペーサ３は抵触しない。また、ＬＥＤランプやフォトトランジスタなどセンサ素子のリードの根本の樹脂部分の膨らみを避けることができる。突起３ｃは、中継基板４の凹部４ｂ（図４に図示）に係合される。突起３ｃは、中継基板４の上部に突出している。突起３ｃと凹部４ｂによって、スペーサ３を中継基板４に取り付けるときに方向を間違うことがない。
【００２９】
中継基板４には、中継基板４をメイン基板に接続するケーブルが接続される。
【００３０】
図３に示すように、例えば、２つのセンサ素子２が、それぞれ２つのスペーサ３を介して１つの中継基板４に設置されて、１つのフォトセンサユニットが構成されている。本実施の形態では、スペーサ３にフレーム１に工程するためのスナップフィット３ａが形成されているため、中継基板４の設置エリアを有効に活用することができる。
【００３１】
図３に示す２つのセンサ素子２を備えるフォトセンサ２０は、図４に示すように、フレーム１に取り付けられて、２つのスペーサ３のスナップフィット３ａによりフレーム１に固定される。また、上記したように、２つのスペーサ３の突起３ｃが、中継基板４の２か所の凹部４ｂに嵌め込まれる。
【００３２】
（３）本実施の形態の効果
上記したように、本実施の形態によれば、投光部または受光部であるセンサ素子２と、フレーム１のメイン基板に接続する中継基板４と、センサ素子２と中継基板４の間に設置されるスペーサ３と、が一体的に構成され、スペーサ３にフレーム１にセンサ素子２を固定するスナップフィット３ａが形成される。これにより、センサ素子と中継基板とを一体化して本体フレームから容易に取り外し可能なフォトセンサを取り付けることにより、保守性を向上させることができる。
【符号の説明】
【００３３】
１    フレーム
１ａ  突起
１ｂ  埃穴
２    センサ素子
２ａ  リード
３    スペーサ
３ａ  スナップフィット
３ｂ  穴
３ｃ  突起
４    中継基板
４ａ  ケーブル
４ｂ  凹部
２０  フォトセンサ
３０  カード
【図１】
0006469507.tif 000002
【図２】
0006469507.tif 000003
【図３】
0006469507.tif 000004
【図４】
0006469507.tif 000005
【図５】
0006469507.tif 000006